(57)【要約】【課題】船舶等を波止場や沖合のシーバースで係留するために使用する固定装置に取着して係留用ロープの接触部位の摩擦による損傷から保護するカバーを提供する。【解決手段】係留用ロープの固定装置用保護カバーは、耐摩耗性と柔軟性と厚さとを有するポリエステル等の織布又は不織布で形成された台形状の内側マットと、その内側面に巾を膨出させて積層した摩擦抵抗の大きい材質で形成した台形状のノンスリップマットと、それから若干巾を膨出させ内側マットを介装して外側面に積層した耐摩耗性と柔軟性と厚さとを有するポリエステル等の織布又は不織布で形成された台形状の外側マットと、その両側の斜辺から間隔を有して夫々突設させる複数のロープ挿通部材とを備え、ロープ挿通部材は帯状部材をＵ字状に屈曲させ先端にロープ挿通部を形成すると共に両端辺を内側マットと外側マットとの間に挿通させ、ノンスリップマットと内側マットと外側マットとロープ挿通部材とを逢着させている。【選択図】図４
2007160951.tif 000002
【特許請求の範囲】
【請求項１】
耐摩耗性と柔軟性と厚さとを有するポリエステル等の織布又は不織布で形成され両側に相対する斜辺と長辺と短辺とを有した台形状の内側マットと、該内側マットの内側面に該内側マットの夫々の斜辺と平行に若干巾を膨出させ積層した摩擦抵抗の大きい材質で形成した台形状のノンスリップマットと、該ノンスリップマットの夫々の斜辺と平行に若干巾を膨出させ前記内側マットを介装して外側面に積層した耐摩耗性と柔軟性と厚さとを有するポリエステル等の織布又は不織布で形成された台形状の外側マットと、前記外側マットの両側の斜辺に間隔を有して夫々突設させる複数のロープ挿通部材とを備え、前記ロープ挿通部材は帯状部材をＵ字状に屈曲させ先端にロープ挿通部を形成すると共に両端辺を前記内側マットと前記外側マットとの間に挿通させ、前記ノンスリップマットと前記内側マットと前記外側マットとロープ挿通部材とを逢着させたことを特徴する係留用ロープの固定装置用保護カバー。
【請求項２】
耐摩耗性と柔軟性と厚さとを有するポリエステル等の織布又は不織布から形成された矩形状の接続マットの両側辺に一対の前記固定装置用保護カバーの長辺を夫々逢着させたことを特徴とする請求項１に記載の係留用ロープの固定装置用保護カバー。
【発明の詳細な説明】
【技術分野】
【０００１】
本発明は船舶等の係留用ロープの固定装置用保護カバーに関するものであり、更に、詳細には、船舶等を波止場や沖合のシーバースで係留するために使用する固定装置に取着して係留用ロープの接触部位の摩擦による損傷から保護するカバーに関するものである。
【背景技術】
【０００２】
従来、船舶等を係留させる必要がある場合、海流や風によって流されないように係留用の固定装置に船舶等から繰リ出した係留用ロープを張設するものであるが、海流や風、又は、波、潮の干満等の影響によって船舶等が移動し、その移動のために係留用ロープが緊張又は弛緩を繰り返するものであり、その為、係留用ロープと係留用の固定装置との接触部位に緊張時に摩擦が発生するもので、通常、係留用ロープは繊維素材が撚リ合わされているものであり、一方、係留用の同定装置は金属やコンクリートで形成されているため、係留用ロープが摩擦によって摩耗して細ってしまい、やがて切れて使用できなくなっていた。
【０００３】
又、予め、係留用ロープの端辺の着干巾に保護用のカバーを取り付けたり、摩耗に対する特殊加工を施したりしているが高価に成ることと、自由に長さの調整や取付け位置の調整ができないことから敬遠されており、更に、長尺の一本のロープから現地で長さを調整しながら製作した係留用ロープはこれらの加工ができず、経時の使用で直ぐ摩耗によって損傷して使え無く成リ頻繁に取り替えなければ成らなかった。
【発明の開示】
【発明が解決しようとする課題】
【０００４】
その為に、この摩耗による損傷から保護するために使用できなく成った係留用ロープを固定装置の当接部位に巻き付けたり、他の柔軟性部材を巻き付けたりしている現状であるが、多大な労力を必要とすると共に、素人が取リ付けると直ぐにずれたり外れたりしており、熟練を要するものであリ、又、波止場や船舶の美観を損なうものであり、更には、係留用ロープに保護部材を取り付ける場合は直ぐに取付位置からずれてしまい、ずれないように取り付けるには更なる熟練を必要としていた。
【課題を解決するための手段】
【０００５】
本発明は上述の課題に鑑み、鋭意研錯の結果、耐摩耗性と柔軟性と厚さとを有する織布又は不織布で形成された台形状の内側マットと、内側マットの内側面に斜辺と平行に若干巾を膨出させ積層した摩擦抵抗の大きい材質で形成した台形状のノンスリップマットと、ノンスリップマットの斜辺と平行に若干巾を膨出させ外側面に積層した耐摩耗性と柔軟性と厚さとを有する織布又は不織布で形成された台形状の外側マットと、外側マットの両側の斜辺に突設させる複数のロープ挿通部材とを備え、ロープ挿通部材は先端にロープ挿通部を形成すると共に両端辺を内側マットと外側マットとの間に挿通させ、ノンスリップマットと内側マットと外側マットとロープ挿通部材とを縫着させたものであり、更に、耐摩耗性と柔軟性と厚さとを有する織布又は不織布から形成された矩形状の接続マットの両側辺に一対の固定装置用保護カバーの長辺を縫着させたものである。
【０００６】
本発明の係留用ロープの固定装置用保護カバーは、固定装置用保護カバーの両端の斜辺に突設した複数のロープ挿通部材のロープ挿通部に取着用ロープを千鳥状に挿通させて固定装置の係留用ロープとの接触部位に取着させており、耐摩耗性と柔軟性と厚さとを有するポリエステル等の織布又は不織布から形成された内側マットと外側マットとで係留用ロープを摩擦による摩耗から保護し、更に、内側にノンスリップマットを積層しているため固定装置の取付位置から固定装置用保護カバーがずれること皆無のものである。
【０００７】
従って、本発明の目的は、容易に固定装置に取付けることができ、取り付けた取着位置からずれることなく、船舶等の係留用ロープを係留用の固定装置との接触部位で発生する摩擦による損傷から保護する固定装置用保護カバーを提供する目的である。
【発明の効果】
【０００８】
本発明の係留用ロープの固定装置用保護カバーは、前述の構成により、固定装置への取着が容易で、取着した固定装置用保護カバーが外れることも、ずれることも無く、摩擦による摩耗から係留用ロープや固定装置を保護するものであり、画期的で実用性の高い発明である。
【発明を実施するための最良の形態】
【０００９】
斯る目的を達成した本発明の係留用ロープの固定装着用保護カバーを以下実施の形態の図面によって説明する。
【００１０】
図１は本発明の係留用ロープの固定装置用保護カバーの実施の形態の内側マットとロープ挿通部材との平面図であり、図２は本発明の係留用ロープの固定装置用保護カバーの実施の形態のノンスリップマットの平面図であり、図３は本発明の係留用ロープの固定装置用保護カバーの実施の形態の外側マットの平面図であり、図４は本発明の係留用ロープの固定装置用保護カバーの実施の形態の固定装置用保護カバーの内側の平面図であり、図５は本発明の係留用ロープの固定装置用保護カバーの実施の形態の固定装置用保護カバーの分解側面図であり、図６は本発明の係留用ロープの固定装置用保護カバーの次実施の形態の固定装置用保護カバーの内側の平面図である。
【００１１】
本発明は船舶等の係留用ロープの固定装置用保護カバー１に関するものであり、更に、詳細には、船舶等を波止場や沖合のシーバースで係留するために使用する固定装置（図示しない）に取着して係留用ロープ（図示しない）の接触部位の摩擦による損傷から保護するカバーに関するものであり、請求項１に記載の係留用ロープの同定装置用保護カバー１は、耐摩耗性と柔軟性と厚さとを有するポリエステル等の織布又は不織布で形成され両側に相対する斜辺２ａと長辺２ｂと短辺２ｃとを有した台形状の内側マット２と、該内側マット２の内側面に該内側マット２の夫々の斜辺２ａと平行に若干巾を膨出させ積層した摩擦抵抗の大きい材質で形成した台形状のノンスリップマット３と、該ノンスリップマット３の夫々の斜辺３ａと平行に若干巾を膨出させ前記内側マット２を介装して外側面に積層した耐摩耗性と柔軟性と厚さとを有するポリエステル等の織布又は不織布で形成された台形状の外側マット４と、前記外側マット４の両側の斜辺４ａに間隔を有して夫々突設させる複数のロープ挿通部材５とを備え、前記ロープ挿通部材５は帯状部材をＵ字状に屈曲させ先端にロープ挿通部５を形成すると共に両端辺５ｂを前記内側マット２と前記外側マット４との間に挿通させ、前記ノンスリップマット３と前記内側マット２と前記外側マット４とロープ挿通部材５とを縫着させたものである。
【００１２】
更に、請求項２に記載の係留用ロープの固定装置用保護カバー１は、請求項１に記載の係留用ロープの固定装置用保護カバー１において、耐摩耗性と柔軟性と厚さとを有するポリエステル等の織布又は不織布から形成された矩形状の接続マット６の両側辺に一対の前記固定装置用保護カバー１の長辺１ｂを夫々縫着させたものである。
【００１３】
即ち、本発明の係留用ロープの固定装置用保護カバー１は、船舶等と係留用の固定装置との間に張設される係留用ロープと接触する固定装置の所望位置に取着するものであり、詳細には、係留用ロープと船舶等側及び係留施設側の係留用の固定装置（図示しない）の接触部位、或いは、その他の機器等、例えば、船舶に設けられた係留用ロープを繰り出すための開口部等に捲着させて、係留用ロープや係留用の固定装置及びその他の機器を摩擦による損傷から保護するものである。
【００１４】
そして、内側マット２は図１に図示する如く耐摩耗性と柔軟性と厚さとを有するもので、実施の形態ではポリエステル等の織布又は不織布を用いて形成しているものであるが、耐摩耗性と柔軟性を備えた材質のものであれば他の材質のでも構わないもので、使用する目的の係留用の固定装置の取着部位の大きさによるが一般的には８mm乃至１０mm程度の厚みを有するもので、更に、両側に相対する一対の斜辺２ａを有する巾と底辺となる長辺２ｂと上辺となる短辺２ｃとを有する台形状に形成したもので、巾及び高さは取着する固定装置の状況を勘案して決定するものである。
【００１５】
次に、ノンスリップマット３は図２に図示する如く摩擦抵抗の大きい塩化ビニルやゴム等を用いて網状に成形したもので、内側マット２の内側面に積層させるものであるが、前記内側マット２の両側の斜辺２ａと平行に若干巾を膨出させた斜辺３ａを備えているものである。
【００１６】
次いで、外側マット４は図３に図示する如く前記内側マット２と同様な耐摩耗性と柔軟性と厚さとを有するポリエステル等の織布又は不織布で形成され夫々の斜辺４ａは縁取りされたもので、内側マット２の外側、つまり、ノンスリップマット３に内側マット２を介装して外側マット４を積層しているものであり、更に、ノンスリップマット３の両側の斜辺３ａと平行に若干巾を膨出させた斜辺４ａを備えた台形状に形成したものである。
【００１７】
更には、複数のロープ挿通部材５は図１及び図４に図示する如く、外側マット４の夫々の斜辺４ａに間隔を有して突設させているものであり、実施の形態では外側マット４の両側の斜辺４ａに夫々４組のロープ挿通部材５を等間隔で突設しているものであるが、その数は特に問わないものである。
【００１８】
そして、ロープ挿通部材５は丈夫な生地で形成され袋とじされた適宜な長さの帯状部材で中央部をＵ字状に屈曲させて取着用ロープを千鳥状に挿通させるためのロープ挿通部５ａを形成すると共に、両端辺５ｂを内側マット２と外側マット４との間に挿通させているものである。
【００１９】
次に、図４及び図５に図示する如く、ノンスリップマット３と内側マット２と外側マット４とを積層させて縫着すると共に、ロープ挿通部材５も合わせて縫着したものである。
【００２０】
つまり、本発明の係留用ロープの固定装置用保護カバー１を作成するときは、先ず、図１に図示する如く、内側マット２の両側の斜辺２ａに適宜数のロープ挿通部材５を等間隔に仮止め程度に縫着し、その内側にノンスリップマット３を積層してロープ挿通部材５と共に内側マット２とノンスリップマット３とを適宜縫着し、更に、内側マット２の外側に外側マット４を積層させて縫着するものであり、更には、ロープ挿通部材５もしっかりと縫着するものである。
【００２１】
そして、本発明の固定装置用保護カバー１の取着は固定装置の所望部位にノンスリップマット３を内側にして当接して、取着用ロープを端部からロープ挿通部位５のロープ挿通部５ａに千鳥状に挿通して取着するものであり、容易に取リ付けができるものである。
【００２２】
更に、本発明の固定装置用保護カバー１の次実施の形態では接続マット６は図６に図示する如く耐摩耗性と柔軟性と厚さとを有するポリエステル等の織布又は不織布から形成された矩形状のもので、巾は固定装置用保護カバー１の長辺１ｂと同長としたもので、長さは取着部位を勘案して決めるもので、接続マット６の両側辺と一対の固定装置用保護カバー１の長辺１ｂとを夫々縫着させたもので、半円状又は逆Ｕ字状に配設された固定装置の両側の基部方向をカバーしたいとき用いるものである。
【図面の簡単な説明】
【００２３】
【図１】図１は本発明の係留用ロープの固定装置用保護カバーの実施の形態の内側マットとロープ挿通部材との平面図である。
【図２】図２は本発明の係使用ロープの固定装置用保護カバーの実施の形態のノンスリップマットの平面図である。
【図３】図３は本発明の係留用ロープの固定装置用保護カバーの実施の形態の外側マットの平面図である。
【図４】図４は本発明の係留用ロープの固定装置用保護カバーの実施の形態の固定装置用保護カバーの内側の平面図である。
【図５】図５は本発明の係留用ロープの固定装置用保護カバーの実施の形態の固定装置用保護カバーの分解側面図である。
【図６】図６は本発明の係留用ロープの固定装置用保護カバーの次実施の形態の固定装置用保護カバーの内側の平面図である。
【符号の説明】
【００２４】
１      固定装置用保護カバー
１ａ    斜辺
１ｂ    長辺
２      内側マット
２ａ    斜辺
２ｂ    長辺
２ｃ    短辺
３      ノンスリップマット
３ａ    斜辺
４      外側マット
４ａ    斜辺
５      ロープ挿通部材
５ａ    ロープ挿通部
５ｂ    両端辺
６      接続マット
【図１】
2007160951.tif 000003
【図２】
2007160951.tif 000004
【図３】
2007160951.tif 000005
【図４】
2007160951.tif 000006
【図５】
2007160951.tif 000007
【図６】
2007160951.tif 000008
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
耐摩耗性と柔軟性と厚さとを有するポリエステル等の織布又は不織布で形成され両側に相対する斜辺と長辺と短辺とを有した台形状の内側マットと、該内側マットの内側面に該内側マットの夫々の斜辺と平行に若干巾を膨出させ積層した摩擦抵抗の大きい材質で形成した台形状のノンスリップマットと、該ノンスリップマットの夫々の斜辺と平行に若干巾を膨出させ耐摩耗性と柔軟性と厚さとを有するポリエステル等の織布又は不織布で形成された台形状の外側マットであって、該外側マットと前記ノンスリップマットの間に前記内側マットを介装するように外側面に積層した台形状の外側マットと、前記外側マットの両側の斜辺に間隔を有して夫々突設させる複数のロープ挿通部材とを備え、前記ロープ挿通部材は帯状部材をＵ字状に屈曲させ先端にロープ挿通部を形成すると共に両端辺を前記内側マットと前記外側マットとの間に介装させ、前記ノンスリップマットと前記内側マットと前記外側マットと前記ロープ挿通部材とを逢着させたことを特徴する係留用ロープの固定装置用保護カバー。
【請求項２】
耐摩耗性と柔軟性と厚さとを有するポリエステル等の織布又は不織布から形成された矩形状の接続マットの両側辺に一対の請求項１に記載の係留用ロープの固定装置用保護カバーの長辺を夫々逢着させたことを特徴とする係留用ロープの固定装置用保護カバー。
【手続補正２】
【補正対象書類名】明細書
【補正対象項目名】０００５
【補正方法】変更
【補正の内容】
【０００５】
本発明に係る係留用ロープの固定装置用保護カバーは、上述の課題に鑑み、耐摩耗性と柔軟性と厚さとを有するポリエステル等の織布又は不織布で形成され両側に相対する斜辺と長辺と短辺とを有した台形状の内側マットと、内側マットの内側面に内側マットの夫々の斜辺と平行に若干巾を膨出させ積層した摩擦抵抗の大きい材質で形成した台形状のノンスリップマットと、該ノンスリップマットの夫々の斜辺と平行に若干巾を膨出させ耐摩耗性と柔軟性と厚さとを有するポリエステル等の織布又は不織布で形成された台形状の外側マットであって、外側マットとノンスリップマットの間に内側マットを介装するように外側面に積層した台形状の外側マットと、外側マットの両側の斜辺に間隔を有して夫々突設させる複数のロープ挿通部材とを備え、ロープ挿通部材は帯状部材をＵ字状に屈曲させ先端にロープ挿通部を形成すると共に両端辺を内側マットと外側マットとの間に介装させ、ノンスリップマットと内側マットと外側マットとロープ挿通部材とを逢着させたものであり、また、耐摩耗性と柔軟性と厚さとを有するポリエステル等の織布又は不織布から形成された矩形状の接続マットの両側辺に、一対のその係留用ロープの固定装置用保護カバーの長辺を夫々逢着させて別の係留用ロープの固定装置用保護カバーを構成してもよい。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
耐摩耗性と柔軟性と厚さとを有するポリエステル等の織布又は不織布で形成され両側に相対する斜辺と長辺と短辺とを有した台形状の内側マットと、該内側マットの内側面に該内側マットの夫々の斜辺と平行に若干巾を膨出させ積層した摩擦抵抗の大きい材質で形成した台形状のノンスリップマットと、該ノンスリップマットの夫々の斜辺と平行に若干巾を膨出させ耐摩耗性と柔軟性と厚さとを有するポリエステル等の織布又は不織布で形成された台形状の外側マットであって、該外側マットと前記ノンスリップマットの間に前記内側マットを介装するように外側面に積層した台形状の外側マットと、前記外側マットの両側の斜辺に間隔を有して夫々突設させる複数のロープ挿通部材とを備え、前記ロープ挿通部材は帯状部材をＵ字状に屈曲させ先端にロープ挿通部を形成すると共に両端辺を前記内側マットと前記外側マットとの間に介装させ、前記ノンスリップマットと前記内側マットと前記外側マットと前記ロープ挿通部材とを縫着させたことを特徴する係留用ロープの固定装置用保護カバー。
【請求項２】
耐摩耗性と柔軟性と厚さとを有するポリエステル等の織布又は不織布から形成された矩形状の接続マットの両側辺に一対の請求項１に記載の係留用ロープの固定装置用保護カバーの長辺を夫々縫着させたことを特徴とする係留用ロープの固定装置用保護カバー。
【手続補正２】
【補正対象書類名】明細書
【補正対象項目名】０００５
【補正方法】変更
【補正の内容】
【０００５】
本発明に係る係留用ロープの固定装置用保護カバーは、上述の課題に鑑み、耐摩耗性と柔軟性と厚さとを有するポリエステル等の織布又は不織布で形成され両側に相対する斜辺と長辺と短辺とを有した台形状の内側マットと、内側マットの内側面に内側マットの夫々の斜辺と平行に若干巾を膨出させ積層した摩擦抵抗の大きい材質で形成した台形状のノンスリップマットと、該ノンスリップマットの夫々の斜辺と平行に若干巾を膨出させ耐摩耗性と柔軟性と厚さとを有するポリエステル等の織布又は不織布で形成された台形状の外側マットであって、外側マットとノンスリップマットの間に内側マットを介装するように外側面に積層した台形状の外側マットと、外側マットの両側の斜辺に間隔を有して夫々突設させる複数のロープ挿通部材とを備え、ロープ挿通部材は帯状部材をＵ字状に屈曲させ先端にロープ挿通部を形成すると共に両端辺を内側マットと外側マットとの間に介装させ、ノンスリップマットと内側マットと外側マットとロープ挿通部材とを縫着させたものであり、また、耐摩耗性と柔軟性と厚さとを有するポリエステル等の織布又は不織布から形成された矩形状の接続マットの両側辺に、一対のその係留用ロープの固定装置用保護カバーの長辺を夫々縫着させて別の係留用ロープの固定装置用保護カバーを構成してもよい。